(57)【要約】      （修正有）【課題】自然的に分解することが可能であり、再利用することが可能であり、焼却するときに、ダイオキシンが発生せず、環境に優しい紙製ストローを提供する。【解決手段】長形である紙片１０を備え、紙片１０は、二つの短辺１０１と、二つの長辺１０２と、を有し、二つの長辺１０２は、第１接合長縁１１と、第２接合長縁１２と、をそれぞれ有し、紙片１０を曲げる前に、第１接合長縁１１と第２接合長縁１２とを互いにラップして、細くて長い円管を形成する。第１接合長縁１１又は第２接合長縁１２の幅Ｗは、紙片１０の短辺１０１の１／６〜１／３である。第１接合長縁１１と第２接合長縁１２が互いにラップするように、紙片１０を曲げて、粘着剤またはホットメルト法により、第１接合長縁１１と第２接合長縁１２を接着する。これにより、細くて長い円管状を呈する紙製ストローが形成される。【選択図】図２Ａ
0003219329.tif 000002
【実用新案登録請求の範囲】
【請求項１】
長形である紙片を備え、前記紙片は、二つの短辺と、二つの長辺と、を有し、前記二つの長辺は、第１接合長縁と、第２接合長縁と、をそれぞれ有し、
前記第１接合長縁と前記第２接合長縁とを互いにラップして、細くて長い円管を形成するように、前記紙片を曲げることを特徴とする紙製ストロー。
【請求項２】
前記短辺に鋭い突刺部が形成されており、前記突刺部は、前記第１接合長縁と前記第２接合長縁とのラップ位置に位置し、前記第１接合長縁の幅は前記第２接合長縁の幅と同じであり、その幅は前記紙片の前記短辺の１／６〜１／３であり、前記突刺部は、前記紙片の前記短辺のうちの一つを切削して切削部を形成し、前記切削部は、前記長辺のうちの一つが前記短辺に隣接する第１切縁と、前記第１切縁と連接し、その連接点の逆方向へ傾斜する第２切縁と、前記第２切縁と連接し、その連接点の逆方向へ傾斜する第３切縁と、前記第３切縁と連接し、その連接点の逆方向へ傾斜する第４切縁と、を備え、前記第４切縁は別の前記長辺と連接して、前記切削部はＭ字形を呈する輪郭に形成され、前記第２切縁と前記紙片の前記短辺、及び前記第３切縁と前記紙片の前記短辺は、それぞれ同じな第１開角を形成し、前記第１切縁と前記第２切縁との延在線、及び前記第４切縁と前記第３切縁との延在線は、それぞれ同じな第２開角を形成し、前記第２開角の角度は前記第１開角の角度の２倍であり、前記第１開角は１５〜７５度であり、前記第２開角は３０〜１５０度であり、前記紙片は、前記第１切縁が前記第３切縁をラップし、前記第４切縁が前記第２切縁をラップし、前記突刺部から遠く離れ前記長辺の１／３の箇所に、曲げ、伸び及び圧縮が可能な伸縮管部が形成され、前記伸縮管部は、複数の環状凹みと複数の環状突起を交錯するように設けられて形成されることを特徴とする、請求項１に記載の紙製ストロー。
【請求項３】
前記紙片の表面は、液体の侵入を防止することが可能な第１防水フィルムで覆われており、前記第１防水フィルムは前記紙製ストローの内面に貼り付けられており、前記紙片の前記第１防水フィルムの反対側には、液体の侵入を防止することが可能な第２防水フィルムが設けられており、前記第２防水フィルムは前記紙製ストローの外面に貼り付けられており、前記第２防水フィルムと前記紙片との間に印刷層が設けられており、前記印刷層は、模様、カラー及びマークのうちの一つ、又はそれらの組合を備え、前記紙片は、食用クラスの木材パルプ紙、又は分解可能な紙を採用し、その厚さが０.０５〜０.１５ｍｍであることを特徴とする、請求項１に記載の紙製ストロー。
【考案の詳細な説明】
【技術分野】
【０００１】
本考案は、ストローに関し、特に、環境に優しい紙製ストローに関するものである。
【背景技術】
【０００２】
製造技術の進展に従って、国民の日常に利用される食器が環境に優しい要請は強くなっている。従来のストローは、樹脂で作製された円管であり、容器内の物質（例えば、粘性または液体の物質または飲料）を吸い上げることが可能である。飲用するときに、容器またはコップをユーザーの口に移動することを必要とせず、すなわち、ユーザーの口は容器またはコップの何れかの部位に接触することが必要ない。容器またはコップにストローを差し込むだけで、ユーザーの吸引力（すなわち、口の内部の気圧をマイナスにし、外部の空気が１大気圧である。）により、容器またはコップの内部の物質または飲料をユーザーの口に吸い上げることが可能である。これにより、ユーザーの唇が容器またはコップのエッジと直接に接触することを回避することが可能なため、極めて便利で安全で衛生なものである。
【０００３】
しかしながら、樹脂で作製されたストローは、利用されたあと、直接に廃棄し、又は焼却する。樹脂で作製されたストローは、自然的に分解できないため、海洋または陸地に廃棄すると、環境の見栄えが悪化し、更に、海洋中の魚類が樹脂製品を食べたあと、当該魚類を食べる人は、有害物質または樹脂の粒子を食べる恐れがある。樹脂製のストローを焼却するときには、ダイオキシンが発生するため、空気が厳しく汚染されて、人体の健康に悪影響を与える。
【考案の概要】
【考案が解決しようとする課題】
【０００４】
本考案の主な目的は、自然的に分解することが可能であり、再利用することが可能であり、焼却するときに、ダイオキシンが発生せず、環境に優しい紙製ストローを提供することにある。
【課題を解決するための手段】
【０００５】
本考案の紙製ストローによると、長形である紙片を備え、紙片は、二つの短辺と、二つの長辺と、を有し、二つの長辺は、第１接合長縁と、第２接合長縁と、をそれぞれ有し、
第１接合長縁と第２接合長縁とを互いにラップして、細くて長い円管を形成するように、紙片を曲げることを特徴とする。
【０００６】
本考案の紙製ストローによると、短辺に鋭い突刺部が形成されており、突刺部は、第１接合長縁と第２接合長縁とのラップ位置に位置し、第１接合長縁の幅は第２接合長縁の幅と同じであり、その幅は紙片の短辺の１／６〜１／３であり、突刺部は、紙片の短辺のうちの一つを切削して切削部を形成し、切削部は、長辺のうちの一つが短辺に隣接する第１切縁と、第１切縁と連接し、その連接点の逆方向へ傾斜する第２切縁と、第２切縁と連接し、その連接点の逆方向へ傾斜する第３切縁と、第３切縁と連接し、その連接点の逆方向へ傾斜する第４切縁と、を備え、第４切縁は別の長辺と連接して、切削部はＭ字形を呈する輪郭に形成され、第２切縁と紙片の短辺、及び第３切縁と紙片の短辺は、それぞれ同じな第１開角を形成し、第１切縁と第２切縁との延在線、及び第４切縁と第３切縁との延在線は、それぞれ同じな第２開角を形成し、第２開角の角度は第１開角の角度の２倍であり、第１開角は１５〜７５度であり、第２開角は３０〜１５０度であり、紙片は、第１切縁が第３切縁をラップし、第４切縁が第２切縁をラップし、突刺部から遠く離れ長辺の１／３の箇所に、曲げ、伸び及び圧縮が可能な伸縮管部が形成され、伸縮管部は、複数の環状凹みと複数の環状突起を交錯するように設けられて形成されることを特徴とする。
【０００７】
本考案の紙製ストローによると、紙片の表面は、液体の侵入を防止することが可能な第１防水フィルムで覆われており、第１防水フィルムは紙製ストローの内面に貼り付けられており、紙片の第１防水フィルムの反対側には、液体の侵入を防止することが可能な第２防水フィルムが設けられており、第２防水フィルムは紙製ストローの外面に貼り付けられており、第２防水フィルムと紙片との間に印刷層が設けられており、印刷層は、模様、カラー及びマークのうちの一つ、又はそれらの組合を備え、紙片は、食用クラスの木材パルプ紙、又は分解可能な紙を採用し、その厚さが０.０５〜０.１５ｍｍであることを特徴とする。
【考案の効果】
【０００８】
本考案の紙製ストローによれば、次のような効果がある。
（１）自然的に分解することが可能であり、リサイクルすることも可能である。
【０００９】
（２）焼却するときには、ダイオキシンが発生しない。
【００１０】
（３）突刺部により、容器またはコップの密封フィルムを突き刺して、その内部の飲料または液体を吸い上げることが可能である。
【００１１】
（４）伸縮管部を曲げることが可能なため、ユーザーの口に合う方向、角度及び位置を調整することが可能である。これにより、容器またはコップ内の飲料を快適に吸い上げることが可能である。
【００１２】
（５）印刷層に、ストローを識別するためのマークやカラーなどを印刷することが可能である。
【００１３】
（６）環境に優しい。
【図面の簡単な説明】
【００１４】
【図１】本考案の実施の形態に係る紙製ストローを示す斜視図である。
【図２Ａ】本考案の実施の形態に係る紙製ストローを曲げる前の状態を示す図である。
【図２Ｂ】本考案の実施の形態に係る紙製ストローを曲げた後の状態を示す図である。
【図３】本考案の別の実施の形態に係る紙製ストローを示す斜視図である。
【図４Ａ】本考案の別の実施の形態に係る紙製ストローを曲げる前の状態を示す図である。
【図４Ｂ】本考案の別の実施の形態に係る紙製ストローを曲げた後の状態を示す図である。
【図５】図４Ｂの５-５線の断面図である。
【図５Ａ】図５のＡ部分を示す拡大図である。
【考案を実施するための形態】
【００１５】
以下、本考案の実施の形態を図面に基づいて説明する。
【００１６】
図１から図５Ａを参照する。本考案に係る紙製ストローは、長形である紙片１０を備える。
【００１７】
紙片１０は、食用クラスの木材パルプ紙、又は分解可能な紙を採用し、その厚さが０.０５〜０.１５ｍｍである。紙片１０は、二つの短辺１０１と、二つの長辺１０２と、を備える。二つの長辺１０２は、第１接合長縁１１と、第２接合長縁１２と、をそれぞれ備える。紙片１０の表面には、液体の侵入を防止することが可能な第１防水フィルム６０（食品クラスのラミネートフィルム、又は食用ワックス）が覆われている。第１接合長縁１１又は第２接合長縁１２の幅Ｗは、紙片１０の短辺１０１の１／６〜１／３である。第１接合長縁１１と第２接合長縁１２が互いにラップするように、紙片１０を曲げて、粘着剤またはホットメルト法により、第１接合長縁１１と第２接合長縁１２を接着する。これにより、細くて長い円管状を呈する紙製ストロー１００が形成される。第１防水フィルム６０は、紙製ストロー１００の内面に貼り付けられている。
【００１８】
（実施の形態１）
次に、図１から図２Ｂを参照する。本考案的実施の形態１に係る紙片１０は、短辺１０１のうちの一つが切削されて切削部２１を形成する。切削部２１は、長辺１０２のうちの一つが短辺１０１に鄰接する第１切縁２１１と、第１切縁２１１と連接し、その連接点の逆方向へ傾斜する第２切縁２１２と、第２切縁２１２と連接し、その連接点の逆方向へ傾斜する第３切縁２１３と、第３切縁２１３と連接し、その連接点の逆方向へ傾斜する第４切縁２１４と、を備える。第４切縁２１４は別の長辺１０２と連接することにより、切削部２１はＭ字形を呈する輪郭を持つ。第２切縁２１２と紙片１０の短辺１０１、及び第３切縁２１３と紙片１０の短辺１０１は、それぞれ同じな第１開角θ１を形成する。第１切縁２１１と第２切縁２１２との延在線、及び第４切縁２１４と第３切縁２１３との延在線は、それぞれ同じな第２開角θ２を形成する。
【００１９】
第１切縁２１１が第３切縁２１３をラップし、第４切縁２１４が第２切縁２１２をラップするように、紙片１０を曲げることにより、紙製ストロー１００の短辺１０１に鋭い突刺部２０が形成される。しかし、第１開角θ１が１５度である場合には、第２開角θ２が３０度である。第１開角θ１が３０度である場合には、第２開角θ２が６０度である。第１開角θ１が４５度である場合には、第２開角θ２が９０度である。第１開角θ１が６０度である場合には、第２開角θ２が１２０度である。第１開角θ１が７５度である場合には、第２開角θ２が１５０度である。すなわち、第２開角θ２は、第１開角θ１の２倍であるという関係を有する。
【００２０】
（実施の形態２）
また、図３から図４Ｂを参照する。本実施の形態に係る紙製ストロー１００には、複数の環状凹み３１と複数の環状突起３２が交錯するように設けられており、これにより、紙製ストロー１００の短辺１０１に近接する箇所に、曲げ、延在及び圧縮が可能な伸縮管部３０が形成される。伸縮管部３０は、突刺部２０から遠く離れ長辺１０２の１／３の位置に位置してもよい。
【００２１】
一方、図５から図５Ａを参照する。紙片１０の第１防水フィルム６０の反対側には、液体の侵入を防止することが可能な第２防水フィルム８０（食品クラスのラミネートフィルム、又は食用ワックス）が設けられている。第２防水フィルム８０は、紙製ストロー１００の外面に貼り付けられており、紙片１０との間に印刷層７０が設けられている。印刷層７０は、模様、カラー及びマークのうちの一つ又はそれらの組合である。
【００２２】
最後に、図３を参照する。本考案に係る紙製ストロー１００は、飲料の包裝を突き刺すことが可能な突刺部２０、又はユーザーの口部の方向、角度及び位置に合う伸縮管部３０を有する。これにより、容器またはコップ内の飲料を快適に吸い上げることが可能である。
【符号の説明】
【００２３】
１０  紙片
１１  第１接合長縁
１２  第２接合長縁
２０  突刺部
２１  切削部
３０  伸縮管部
３１  環状凹み
３２  環状突起
６０  第１防水フィルム
７０  印刷層
８０  第２防水フィルム
１００  紙製ストロー
１０１  短辺
１０２  長辺  
２１１  第１切縁
２１２  第２切縁
２１３  第３切縁
２１４  第４切縁
θ1  第１開角
θ2  第２開角
Ｗ  第１接合長縁の幅、第２接合長縁の幅
【図１】
0003219329.tif 000003
【図２Ａ】
0003219329.tif 000004
【図２Ｂ】
0003219329.tif 000005
【図３】
0003219329.tif 000006
【図４Ａ】
0003219329.tif 000007
【図４Ｂ】
0003219329.tif 000008
【図５】
0003219329.tif 000009
【図５Ａ】
0003219329.tif 000010